(57)【要約】【課題】  動揺する搭載艇の上でも玉掛け作業を容易に行える揚艇装置を提供する。【解決手段】  搭載艇４にスリング１９を介して連結される吊り環１８を備え、この吊り環１８にフック２０を介して本船１から延びるワイヤロープ７を連結する玉掛け作業を行い、このワイヤロープ７に吊り下げられる搭載艇４を本船１に搬入出する揚艇装置において、搭載艇４の上に立てられるリング支持棒３０を設け、このリング支持棒３０を介してスリング１９及び吊り環１８を持ち上げて保持した状態で吊り環１８にフック２０を連結する玉掛け作業を行う構成とする。【選択図】    図１
2006001441.tif 000002
【特許請求の範囲】
【請求項１】
搭載艇にスリングを介して連結される吊り環を備え、この吊り環にフックを介して本船から延びるワイヤロープを連結する玉掛け作業を行い、このワイヤロープに吊り下げられる搭載艇を本船に搬入出する揚艇装置において、
前記搭載艇に立てられるリング支持棒を設け、このリング支持棒を介して前記スリング及び前記吊り環を持ち上げて保持した状態で前記吊り環に前記フックを連結する玉掛け作業を行う構成としたことを特徴とする揚艇装置。
【請求項２】
前記リング支持棒の上端部に前記吊り環を着座させる凹部を形成したことを特徴とする請求項１に記載の揚艇装置。
【請求項３】
前記搭載艇に前記リング支持棒の下端部に嵌合して前記リング支持棒を立てた状態に支持する支持座を備えたことを特徴とする請求項１または２に記載の揚艇装置。
【発明の詳細な説明】
【技術分野】
【０００１】
本発明は、救助艇や高速艇等の搭載艇を吊り下げて本船に搬入出する揚艇装置の改良に関するものである。
【背景技術】
【０００２】
従来、この種の揚艇装置として、垂直軸回りに回動して甲板上から振出されるクレーンブームと、このクレーンブームを駆動する旋回装置と、クレーンブームの先端部からシーブを介して繰り出される一本のワイヤロープと、このワイヤロープを巻き取る１台のウィンチとを備え、クレーンブームを回動させてワイヤロープに吊り下げられる搭載艇を本船に搬入出する旋回クレーン式揚艇装置がある。
【０００３】
また、特許文献１には、本船に対して水平軸まわりに回動するダビットを備え、このダビットから繰り出される２本のワイヤロープを介して搭載艇を吊り下げ、ダビットを回動させてワイヤロープに吊り下げられる搭載艇を本船に搬入出するダビット式揚艇装置が提案されている。
【０００４】
旋回クレーン式揚艇装置は、ダビット式揚艇装置のように大型のダビットを本船上に備える必要がなく、構造の簡素化がはかれる。
【特許文献１】特開２００２−０８７３７７号公報
【発明の開示】
【発明が解決しようとする課題】
【０００５】
しかしながら、旋回クレーン式揚艇装置に吊り上げられる搭載艇の揚収時に、作業者が搭載艇の上で本船から延びるワイヤロープのフックを搭載艇から延びるスリングの吊り環に連結する際、作業者は例えば数１０ｋｇに及ぶスリング及び吊り環を持ち上げて保持する必要があり、海上等にて動揺する搭載艇の上でこの玉掛け作業を行うことが難しいという問題点があった。
【０００６】
本発明は上記の問題点に鑑みてなされたものであり、動揺する搭載艇の上でも玉掛け作業を容易に行える揚艇装置を提供することを目的とする。
【課題を解決するための手段】
【０００７】
本発明は、搭載艇にスリングを介して連結される吊り環を備え、この吊り環にフックを介して本船から延びるワイヤロープを連結する玉掛け作業を行い、このワイヤロープに吊り下げられる搭載艇を本船に搬入出する揚艇装置において、搭載艇に立てられるリング支持棒を設け、このリング支持棒を介してスリング及び吊り環を持ち上げて保持した状態で吊り環にフックを連結する玉掛け作業を行う構成としたことを特徴とする。
【発明の効果】
【０００８】
本発明によると、作業者が搭載艇の上で本船から延びるワイヤロープのフックを搭載艇から延びるスリングの吊り環に連結する際に、リング支持棒を搭載艇に立て、リング支持棒を介してスリング及び吊り環を持ち上げて保持した状態で吊り環にフックを連結する玉掛け作業を行う。これにより、作業者は例えば数１０ｋｇに及ぶスリング及び吊り環を持ち上げて保持することが容易に行え、動揺する搭載艇の上でもリング支持棒につかまってこの玉掛け作業を容易かつ安全に行うことができる。
【発明を実施するための最良の形態】
【０００９】
以下、本発明の実施の形態を添付図面に基づいて説明する。
【００１０】
図１〜図４に示すように、本船１の甲板２上には複合式搭載艇（ＲＩＢ）４を載せる艇レスト１１が設置され、この搭載艇４を吊り下げて搬入出する旋回クレーン式揚艇装置５を備える。
【００１１】
揚艇装置５は垂直軸回りに回動して甲板２上から振出されるクレーンブーム６と、このクレーンブーム６を駆動する旋回装置８と、クレーンブーム６の先端部からシーブ１２を介して繰り出される一本のワイヤロープ７と、このワイヤロープ７を巻き取る１台のウィンチ９とを備える。
【００１２】
ワイヤロープ７の先端にはフック２０が結合され、このフック２０が搭載艇４のスリング１９の吊り環１８に対して着脱可能に連結される。スリング１９は吊り環１８から四方に延びる４本のワイヤロープによって構成され、各ワイヤロープの一端が搭載艇４の前後部の４カ所に連結されている。
【００１３】
ステンレス製ワイヤロープ７は非自転性の構造を有し、張力の増減に伴うワイヤロープ７の捩れを小さくすることによって、これに吊り下げられた搭載艇４が回動することを抑えるようになっている。
【００１４】
クレーンブーム６にはスタビライザ８０が設けられ、クレーンブーム６の近傍まで吊り上げられた搭載艇４の船首部分をこのスタビライザ８０に当接させることにより、搭載艇４のピッチング及びローリングを抑えるようになっている。
【００１５】
次に揚艇装置５の動作について説明する。本船１の航行時において搭載艇４を投入する際の操作は次の手順で行われる。
・艇レスト１１に載せられた搭載艇４に掛けられた固縛索（図示せず）を外し、ウィンチ９を駆動して搭載艇４を低速で０．８ｍ程度上昇させる。
・搭載艇４に作業員が搭乗し、搭載艇４の船首をスタビライザ８０に固縛する。
・旋回装置８を駆動してクレーンブーム６を９０°程度回動させ、搭載艇４を船外に降り出す。
・スタビライザ８０に対する搭載艇４の船首の固縛を解除し、ボートロープ１３、前控え索１４、後控え索１５を操作して搭載艇４のを回動位置を調節し、搭載艇４を本船１と略並行に保つ。
・ウィンチ９を駆動して搭載艇４を低速で１．８ｍ程度下降させる。
・旋回装置８を駆動してクレーンブーム６を回動させ、搭載艇４を本船１の舷側に押し付けて腹付けし、搭載艇４の前控え索１４、後控え索１５を本船１の各クリート１６を固縛する（図２参照）。このとき、搭載艇４は本船１側に５°程度傾斜した姿勢をとる（図３参照）。
・上記搭載艇４を腹付けした状態で、乗員および器材等を搭載する。
・前控え索１４、後控え索１５を各クリート１６から外し、搭載艇４内に取り込む。
・ボートロープ１３を調整し、適宜展張する。
・旋回装置８を駆動してクレーンブーム６を回動させ、搭載艇４を船外に最大に降り出す。
・ウィンチ９を駆動して搭載艇４を低速で下降させ、搭載艇４が着水する時に搭載艇４の下降速度を高め、ワイヤロープ７を着水後にさらに余分に４ｍ程度繰り出す。これにより、搭載艇４はボートロープ１３を介して本船１に引っ張られる。
・フック２０をスリング１９の吊り環１８から外し、ワイヤロープ７を搭載艇４と本船１の間に投下した後、ウィンチ９を駆動してワイヤロープ７を高速で巻き取る。
・搭載艇４のエンジンを起動し、搭載艇４を本船１より高速で前進させ、ボートロープ１３を搭載艇４の船首から外す。
【００１６】
一方、本船１の航行時において搭載艇４を揚収する際の操作は次の手順で行われる。
・搭載艇４を本船１と並行に前進させ、ボートロープ１３を搭載艇４の船首に連結し、ボートロープ１３を本船１と搭載艇４の間に張設する。
・ウィンチ９を駆動してワイヤロープ７を搭載艇４上に繰り出した後、ワイヤロープ７のフック２０をスリング１９の吊り環１８に連結する。
・ウィンチ９を駆動してワイヤロープ７を中高速で巻き取る。これにより、搭載艇４を海上から引き上げ、搭載艇４をクレーンブーム６の近傍の上死点まで上昇させる。
・搭載艇４の水切りを十分に行った後、ウィンチ９を駆動して搭載艇４を低速で１．８ｍ程度下降させる。
・旋回装置８を駆動してクレーンブーム６を回動させ、搭載艇４を本船１の舷側に押し付けて腹付けし、搭載艇４の前控え索１４、後控え索１５を本船１の各クリート１６を固縛する（図２参照）。
・上記搭載艇４を腹付けした状態で、乗員および器材等を本船１に移す。
・旋回装置８を駆動してクレーンブーム６を回動させ、搭載艇４を船外に最大に振り出す。
・ウィンチ９を駆動して搭載艇４を低速で１．８ｍ程度上昇させる。
・搭載艇４の船首をスタビライザ８０に固縛する。
・旋回装置８を駆動してクレーンブーム６を９０°程度回動させ、搭載艇４を船内に入れる。
・スタビライザ８０に対する搭載艇４の船首の固縛を解除し、ウィンチ９を駆動して搭載艇４を低速で０．８ｍ程度下降させ、搭載艇４を艇レスト１１に載せる。
・搭載艇４に固縛索（図示せず）を掛けて固縛する。
【００１７】
ところで、上記した揚収時において、海上にある搭載艇４の上でワイヤロープ７のフック２０をスリング１９の吊り環１８に連結する際、作業者は数１０ｋｇに及ぶスリング１９及び吊り環１８を持ち上げて保持する必要があり、動揺する搭載艇４の上でこの玉掛け作業を行うことが難しいという問題点があった。
【００１８】
これに対処して本発明は、図３、図４に示すように、搭載艇４の上に立てられるリング支持棒３０を設け、玉掛け作業時にこのリング支持棒３０にスリング１９及び吊り環１８を持ち上げて保持させる構成とする。
【００１９】
図５に示すように、リング支持棒３０はアルミ製パイプによって円筒状に形成され、スリング１９が延びた状態で吊り環１８と搭載艇４の底部の間に収まる長さを有する。
【００２０】
リング支持棒３０の上端部３１には一対の凹部３２が形成され、吊り環１８を各凹部３２に渡って着座させることにより、リング支持棒３０の上端部３１に吊り環１８が立てられた状態に支持される。
【００２１】
搭載艇４には支持座４０が固定して設けられる。この支持座４０は円盤状のフランジ４１と、このフランジ４１から円柱状に突出する突起部４２とを有する。フランジ４１が複数のボルト（図示せず）を介して搭載艇４の底部に締結される。支持座４０は突起部４２にリング支持棒３０の下端部３３を嵌合させることにより、リング支持棒３０を立てた状態に支持するようになっている。
【００２２】
以上のように、上記した揚収時において、海上にある搭載艇４の上でワイヤロープ７のフック２０をスリング１９の吊り環１８に連結する玉掛け作業時に、リング支持棒３０を搭載艇４に支持座４０を介して立設し、リング支持棒３０の凹部３２に吊り環１８を載せて支持した状態で、ワイヤロープ７のフック２０をスリング１９の吊り環１８に連結する。これにより、作業者は数１０ｋｇに及ぶスリング１９及び吊り環１８を持ち上げて保持することが容易に行え、動揺する搭載艇４の上でもリング支持棒３０につかまってこの玉掛け作業を容易かつ安全に行うことができる。
【００２３】
そして、搭載艇４がワイヤロープ７から切り離された状態では、リング支持棒３０を支持座４０から抜き取ることにより、リング支持棒３０が邪魔になることがない。
【００２４】
また、搭載艇４を海上に投入した後、ワイヤロープ７のフック２０をスリング１９の吊り環１８から外す際も、リング支持棒３０を搭載艇４に立てておくことにより、作業者は動揺する搭載艇４の上でもリング支持棒３０につかまってこの作業を容易かつ安全に行うことができる。
【００２５】
本発明は上記の実施の形態に限定されずに、その技術的な思想の範囲内において種々の変更がなしうることは明白である。
【産業上の利用可能性】
【００２６】
本発明は、搭載艇を吊り下げて本船に搬入出する揚艇装置に利用できる。
【図面の簡単な説明】
【００２７】
【図１】本発明の実施の形態を示す揚艇装置の側面図。
【図２】同じく揚艇装置の平面図。
【図３】同じく揚艇装置の正面図。
【図４】同じく搭載艇等の側面図。
【図５】同じくリング支持棒等の斜視図。
【符号の説明】
【００２８】
１  本船
４  搭載艇
５  揚艇装置
６  クレーンブーム
７  ワイヤロープ
１８  吊り環
１９  スリング
３０  リング支持棒
３１  上端部
３２  凹部
４０  支持座
【図１】
2006001441.tif 000003
【図２】
2006001441.tif 000004
【図３】
2006001441.tif 000005
【図４】
2006001441.tif 000006
【図５】
2006001441.tif 000007